(57)【要約】  １つまたは複数のイメージに関する１つまたは複数のオペレーションをプリンタが容易に実行できるようにするための方法およびシステムが提供される。方法は、プリンタで少なくとも部分的に実施できる方法を含むことができ、その方法には、１つまたは複数の対応するイメージと関連付けられた１つまたは複数の第１のピクチャを有するシートに対する走査装置の１つまたは複数の場所を追跡するステップが含まれる。この追跡するステップは、走査装置によって提供される電子データに少なくとも部分的に基づく。この場合、プリンタは、この追跡するステップに少なくとも部分的に基づいて、１つまたは複数の対応するイメージの全部または選択されたサブセットに関して少なくとも１つのオペレーションを実行することができる。【選択図】図１
2010529916.tif 000002
【特許請求の範囲】
【請求項１】
１つまたは複数の対応するイメージと関連付けられた１つまたは複数の第１のピクチャを有するシートに対する走査装置の１つまたは複数の場所を追跡するステップであって、前記走査装置によって提供された電子データに少なくとも部分的に基づく追跡するステップと、
前記追跡するステップに少なくとも部分的に基づいて、前記１つまたは複数の対応するイメージのうち全部または選択されたサブセットに関する少なくとも１つのオペレーションを実行するステップと、を含む方法。
【請求項２】
前記実行するステップが、１つまたは複数のシート上の１つまたは複数の第２のピクチャを印刷するステップを含む、請求項１に記載の方法。
【請求項３】
１つまたは複数のシート上の前記１つまたは複数の第２のピクチャを印刷する前記ステップが、前記１つまたは複数の対応するイメージのうち全部または前記選択されたサブセットのピクチャを印刷するステップを含む、請求項２に記載の方法。
【請求項４】
１つまたは複数のシート上の前記１つまたは複数の第２のピクチャを印刷する前記ステップが、前記１つまたは複数の対応するイメージのうち全部または前記選択されたサブセットを修正するステップと、１つまたは複数のシート上の修正済みの前記１つまたは複数の対応するイメージのうち全部または前記選択されたサブセットのピクチャを印刷するステップとを含む、請求項３に記載の方法。
【請求項５】
前記１つまたは複数の対応するイメージの全部または前記選択されたサブセットを修正する前記ステップが、前記１つまたは複数の対応するイメージのうち全部または前記選択されたサブセットから赤目を除去するステップを含む、請求項４に記載の方法。
【請求項６】
前記１つまたは複数の対応するイメージの全部または前記選択されたサブセットを修正する前記ステップが、前記１つまたは複数の対応するイメージのうち全部または前記選択されたサブセットの１つまたは複数の部分をクロッピングするステップ含む、請求項４に記載の方法。
【請求項７】
前記１つまたは複数の対応するイメージの全部または前記選択されたサブセットを修正する前記ステップが、前記１つまたは複数の対応するイメージのうち全部または前記選択されたサブセットの１つまたは複数の部分のコントラストまたは強調度を調整するステップ含む、請求項４に記載の方法。
【請求項８】
前記１つまたは複数の対応するイメージの全部または前記選択されたサブセットを修正する前記ステップが、前記１つまたは複数の対応するイメージのうち全部または前記選択されたサブセットの少なくとも一部分を拡大するステップを含み、１つまたは複数のシート上の修正済みの前記１つまたは複数の対応するイメージのうち全部または前記選択されたサブセットのピクチャを印刷する前記ステップが、前記１つまたは複数の対応するイメージのうち全部または前記選択されたサブセットの前記拡大された少なくとも１つまたは複数の部分を印刷するステップを含む、請求項４に記載の方法。
【請求項９】
前記追跡するステップが、前記シート上の１つまたは複数の場所に対する前記走査装置のニブの１つまたは複数の場所を追跡するステップを含む、請求項１に記載の方法。
【請求項１０】
前記追跡するステップが、前記走査装置の前記１つまたは複数の場所をワイヤレスで追跡するステップを含む、請求項１に記載の方法。
【請求項１１】
前記走査装置が、前記シートの１つまたは複数の選択的部分を走査することおよび前記シートの前記１つまたは複数の選択的部分の埋め込みデータを読み取ることに基づいて前記電子データを生成し、前記追跡するステップが、前記生成された電子データを処理することによって前記シートに対する前記走査装置の具体的な場所を決定するステップを含む、請求項１に記載の方法。
【請求項１２】
前記走査装置が、前記シートの１つまたは複数の選択的部分を走査することおよび前記シートの前記１つまたは複数の選択的部分の埋め込みデータを読み取ることに基づいて前記電子データを生成し、前記追跡するステップが、前記電子データを処理することによって前記１つまたは複数の対応するイメージのうちの全部または前記選択されたサブセットの１つまたは複数のアイデンティティを決定するステップを含む、請求項１に記載の方法。
【請求項１３】
埋め込みデータを有する前記シートを印刷するステップをさらに含み、前記埋め込みデータが、前記追跡するステップを容易にするために使用される、請求項１に記載の方法。
【請求項１４】
前記印刷するステップが、ドットのパターンと前記シートに対する前記ドットの場所とを示すデータとを有する前記シートを印刷するステップを含む、請求項１３に記載の方法。
【請求項１５】
前記印刷するステップが、前記１つまたは複数の対応するイメージと関連付けられたアイデンティティを有する前記シートを印刷するステップを含む、請求項１３に記載の方法。
【請求項１６】
前記実行するステップが、前記１つまたは複数の対応するイメージの全部または前記選択されたサブセットを電子メールで送信するステップ、および／あるいは、前記１つまたは複数の対応するイメージの全部または前記選択されたサブセットを表示するステップのうち少なくとも１つを含む、請求項１に記載の方法。
【請求項１７】
前記追跡するステップが、時間のインターバルにわたって前記シートに対する前記走査装置の複数の場所を決定することによって、前記シートに対する前記走査装置の相対的移動を追跡するステップを含み、前記実行するステップが、前記シートに対する前記走査装置の前記移動に少なくとも部分的に基づく、請求項１に記載の方法。
【請求項１８】
走査装置によって、１つまたは複数の第１のピクチャを有するシートの１つまたは複数の選択的部分を走査するが、前記シートのその他の部分は走査しないステップであって、前記走査するステップが、前記シートの前記１つまたは複数の選択的部分の埋め込みデータを読み取るステップを含み、前記１つまたは複数の第１のピクチャが、１つまたは複数の対応するイメージと関連付けられるステップと、
前記埋め込みデータに基づいて電子データを生成するステップであって、前記電子データが、前記シートに対する前記走査装置の１つまたは複数の相対的位置を少なくとも部分的に示すステップと、
前記電子データをプリンタに送信して、前記対応するイメージの全部または選択されたサブセットに関する少なくとも１つのオペレーションを、前記プリンタが容易に実行できるようにするステップと、を含む方法。
【請求項１９】
前記電子データを、前記プリンタにワイヤレスで送信する、請求項１８に記載の方法。
【請求項２０】
前記シートが、ドットのパターンと前記シートに対する前記ドットの場所とを示すデータとを含み、前記読み取るステップが、少なくとも１つのドットと前記少なくとも１つのドットの前記シートに対する場所とを示すデータを読み取るステップとを含む、請求項１８に記載の方法。
【請求項２１】
前記シートが、前記１つまたは複数の対応するイメージと関連付けられたアイデンティティを含み、前記読み取るステップが、少なくとも１つのアイデンティティを読み取るステップを含む、請求項１８に記載の方法。
【請求項２２】
前記走査するステップが、時間のインターバルにわたって前記シートの複数の選択的部分を走査し、前記複数の選択的部分の埋め込みデータを読み取るステップと、前記時間のインターバルの間に前記シートに対する前記走査装置の前記１つまたは複数の相対的位置を示す電子データを生成し、その電子データを前記プリンタに送信して、前記シートに対する前記走査装置の相対的移動を前記プリンタが容易に決定できるようにするステップとを含む、請求項１８に記載の方法。
【請求項２３】
１つまたは複数の第１のピクチャを有するシートの１つまたは複数の選択的部分を走査するが、前記シートのその他の部分は走査しないようにして、前記シートの前記１つまたは複数の選択的部分の埋め込みデータを読み取り、かつ前記埋め込みデータに基づいて電子データを生成し送信するように構成された走査装置であって、前記１つまたは複数の第１のピクチャが１つまたは複数の対応するイメージと関連付けられる走査装置と、
前記電子データを受信して、前記電子データに基づいて前記シートに対する前記走査装置の１つまたは複数の場所を追跡するように、かつ、前記追跡に少なくとも部分的に基づいて前記対応するイメージの全部または選択されたサブセットに関連する少なくとも１つのオペレーションを実行するように、前記走査装置と通信可能に結合されたプリンタと、を備えるシステム。
【請求項２４】
前記プリンタが、前記走査装置から受信した前記電子データに少なくとも部分的に基づいて、１つまたは複数のシート上の１つまたは複数の第２のピクチャを印刷することによって、前記少なくとも１つのオペレーションを実行するように構成される、請求項２３に記載のシステム。
【請求項２５】
前記プリンタがさらに、前記１つまたは複数の第１のピクチャを有する前記シートを印刷するように、かつ前記シート上に前記埋め込みデータを印刷するように構成される、請求項２３に記載のシステム。
【請求項２６】
前記走査装置が、前記電子データを前記プリンタにワイヤレスに送信するためのインターフェースを含む、請求項２３に記載のシステム。
【請求項２７】
前記プリンタが、前記走査装置から前記電子データをワイヤレスに受信するためのもう１つのインターフェースを含む、請求項２６に記載のシステム。
【発明の詳細な説明】
【技術分野】
【０００１】
本出願は、「ＭＥＴＨＯＤ  ＡＮＤ  ＡＰＰＡＲＡＴＵＳ  ＦＯＲ  ＩＭＡＧＥ  ＳＥＬＥＣＴＩＯＮ  ＦＲＯＭ  Ａ  ＴＨＵＭＢＮＡＩＬ  ＣＯＮＴＡＣＴ  ＰＲＩＮＴ  ＳＨＥＥＴ  ＦＯＲ  ＳＵＢＳＥＱＵＥＮＴ  ＶＩＥＷＩＮＧ  ＯＲ  ＰＲＩＮＴＩＮＧ  ＯＦ  ＦＵＬＬ  ＳＩＺＥ  ＩＭＡＧＥＳ」と題する２００７年６月１５日に出願された米国仮特許出願第６０／９４４，２６３号および「ＩＮＴＥＲＡＣＴＩＶＥ  ＥＤＩＴＩＮＧ  ＯＦ  ＩＭＡＧＥＳ  ＵＳＩＮＧ  Ａ  ＰＲＩＮＴＥＲ」と題する２００７年８月１７日に出願された米国仮特許出願第６０／９５６，５６７号に基づく優先権を主張し、これらの開示は全ての目的のためにその全体を参照により本明細書に組み込まれる。
【０００２】
本発明の諸実施形態はプリンタの分野に関連し、より詳細には、電子ペンなどの走査装置と併せてプリンタを使用して、１つまたは複数のイメージに対して動作を実行することに関する。
【背景技術】
【０００３】
フォトグラフィックピクチャまたはイメージを撮るためのデジタルカメラおよびビデオレコーダなどの電子デバイスは、近年爆発的に普及している。そのようなデバイスを使用して保存されたデジタル化されたイメージのハードコピー（すなわち、フォトグラフ）を得るために、そのようなデバイスのユーザは、典型的には、そのようなデバイスまたはデバイスから取り出したメモリカードを写真店に持っていき、デバイスまたはそのメモリカードに保存されたデジタル化されたイメージをダウンロードすることになる。次いでユーザは、写真店でイメージを見て、デバイスまたはそのメモリカードに保存されたイメージのうちどれを印刷するかを選択する。代替的には、そのようなデバイスのユーザは、比較的低価格な写真プリンタを購入し、そのようなプリンタを使用して自分自身の写真を直接印刷することができる。現時点において、この種の低価格写真プリンタを使用して写真を閲覧し選択するための２つの主なメカニズムがある。
【０００４】
第１のメカニズムは、印刷されるイメージを閲覧し選択するために、たとえばカラー液晶ディスプレイ（ＬＣＤ）を利用することである。ユーザは、イメージをスクロールし、印刷など後で行われる何らかのアクションのために特定のイメージにマークまたはタグを付けることができる。この解決法は、通常プリンタについているディスプレイのサイズが比較的小さいので、ユーザにとって厄介になる場合がある。また、多くの新しい顧客にとって、この選択メカニズムは直感的でない。
【０００５】
第２のメカニズムは、利用可能なイメージのサムネイルコンタクトプルーフシートを印刷することである。「インデックスシート」と称されることもあるこの印刷されたプルーフシートは、「Ｓｃａｎｔｒｏｎ」に相当する円を有し、その円にユーザが濃淡をつけ、その結果プリンタに備わっていることがある走査ヘッドを使用して走査する。走査プロセスの間、プリンタは、ユーザが円のどこを塗りつぶして後で行われる何らかのアクション（たとえば印刷）のためにイメージにタグを付けたかを認識する。これにより、人々が慣れている、より自然なユーザインターフェースがもたらされるが、ページ全体を再走査することは、直観的でも簡単でもない追加のステップである。さらに、走査オペレーションを実行するためには、プリンタに走査ヘッドを設けることが必要であり、したがってプリンタの全コストが付加される。
【発明の概要】
【課題を解決するための手段】
【０００６】
本発明の様々な実施形態によると、１つまたは複数のイメージに関連する１つまたは複数のオペレーションをプリンタが容易に実行できるようにするための方法およびシステムが提供される。この方法は、プリンタで少なくとも部分的に実施できる方法を含むことができ、その方法は、１つまたは複数の対応するイメージと関連付けられた１つまたは複数の第１のピクチャを有するシートに対する走査装置の１つまたは複数の場所を、走査装置によって提供された電子データに少なくとも部分的に基づく追跡するステップを含む。またこの追跡するステップに少なくとも部分的に基づいて、１つまたは複数の対応するイメージの全部または選択されたサブセットに関して少なくとも１つのオペレーションを実行するステップを含む。
【０００７】
いくつかの実施形態において、実行するステップは、１つまたは複数のシート上の１つまたは複数の第２のピクチャを印刷するステップを含むことができる。これらに実施形態について、１つまたは複数のシート上の１つまたは複数の第２のピクチャを印刷するステップが、１つまたは複数の対応するイメージの全部または選択されたサブセットのピクチャを印刷するステップを含むことができる。いくつかの実施形態において、１つまたは複数のシート上の１つまたは複数の第２のピクチャを印刷するステップが、１つまたは複数の対応するイメージのうち全部または選択されたサブセットを修正するステップと、１つまたは複数のシート上の修正済みの１つまたは複数の対応するイメージのうち全部または選択されたサブセットのピクチャを印刷するステップとを含むことができる。
【０００８】
いくつかの実施形態において、１つまたは複数の対応するイメージのうち全部または選択されたサブセットを修正するステップが、１つまたは複数の対応するイメージのうち全部または選択されたサブセットから赤目を除去するステップを含む。いくつかの実施形態において、１つまたは複数の対応するイメージのうち全部または選択されたサブセットを修正するステップが、１つまたは複数の対応するイメージのうち全部または選択されたサブセットの一部分をクロッピングするステップを含む。いくつかの実施形態において、１つまたは複数の対応するイメージのうち全部または選択されたサブセットを修正するステップが、１つまたは複数の対応するイメージのうち全部または前記選択されたサブセットの一部分のコントラストまたは強調度を調整するステップを含むことができる。いくつかの実施形態において、１つまたは複数の対応するイメージのうち全部または選択されたサブセットを修正するステップが、１つまたは複数の対応するイメージのうち全部または選択されたサブセットの少なくとも一部分を拡大するステップを含み、１つまたは複数のシート上の修正済みの１つまたは複数の対応するイメージのうち全部または選択されたサブセットのピクチャを印刷するステップが、１つまたは複数の対応するイメージのうち全部または選択されたサブセットの拡大された少なくとも一部分を印刷するステップを含む。
【０００９】
いくつかの実施形態において、走査装置の１つまたは複数の場所を追跡するステップが、シート上の１つまたは複数の場所に対する走査装置のニブの１つまたは複数の場所を追跡するステップを含むことができる。いくつかの実施形態において、前記追跡するステップが、走査装置の１つまたは複数の場所をワイヤレスで追跡するステップを含む。いくつかの実施形態において、前記走査装置が、シートの１つまたは複数の選択的部分を走査することおよびシートの１つまたは複数の選択的部分の埋め込みデータを読み取ることに基づいて電子データを生成し、前記追跡するステップが、生成された電子データを処理することによってシートに対する走査装置の具体的な場所を決定するステップを含む。これらの実施形態について、前記追跡するステップが、前記電子データを処理することによって１つまたは複数の対応するイメージのうち全部または選択されたサブセットの１つまたは複数のアイデンティティを決定するステップを含む。
【００１０】
いくつかの実施形態において、方法は、埋め込みデータを有するシートを印刷するステップを含むことができ、埋め込みデータは、前記追跡するステップを容易にするために使用される。これらの実施形態について、前記印刷するステップは、ドットのパターンとシートに対するドットの場所とを示すデータを有するシートを印刷するステップを含む。いくつかの実施形態において、前記印刷するステップは、１つまたは複数の対応するイメージと関連付けられたアイデンティティを有するシートを印刷するステップを含む。
【００１１】
いくつかの実施形態において、前記実行するステップが、１つまたは複数の対応するイメージのうち全部または選択されたサブセットを電子メールで送信するステップ、および／あるいは、１つまたは複数の対応するイメージのうち全部または選択されたサブセットを表示するステップのうち少なくとも１つを含む。いくつかの実施形態において、前記追跡するステップが、時間のインターバルにわたってシートに対する走査装置の複数の場所を決定することによって、シートに対する走査装置の移動を追跡するステップを含み、前記実行するステップが、シートに対する走査装置の相対的移動に少なくとも部分的に基づく。
【００１２】
いくつかの実施形態において、これらの方法は、走査装置によって、１つまたは複数の第１のピクチャを有するシートの１つまたは複数の選択的部分を走査するが、そのシートのその他の部分は走査しないステップであって、前記走査するステップが、シートの１つまたは複数の選択的部分の埋め込みデータを読み取るステップを含み、前記１つまたは複数の第１のピクチャが、１つまたは複数の対応するイメージと関連付けられる、走査装置で実装することができる方法を含む。この走査装置は、次いで、埋め込みデータに基づいて電子データを生成し、前記電子データは、シートに対する走査装置の１つまたは複数の相対的位置を少なくとも部分的に示す。走査装置は、電子データをプリンタに送信して、対応するイメージの全部または選択されたサブセットに関する少なくとも１つのオペレーションを、プリンタが容易に実行できるようにすることができる。
【００１３】
これらの実施形態について、前記電子データを、プリンタにワイヤレスで送信することができる。さらに、これらの実施形態について、シートは、ドットのパターンとシートに対するドットの場所とを示すデータとを含むことができ、前記読み取るステップは、少なくとも１つのドットとシートに対する少なくとも１つのドットの場所を示すデータを読み取るステップを含む。いくつかの実施形態おいて、シートは、１つまたは複数の対応するイメージと関連付けられたアイデンティティを含むことができ、前記読み取るステップは、少なくとも１つのアイデンティティを読み取るステップを含む。いくつかの実施形態において、前記走査するステップは、時間のインターバルにわたってシートの複数の選択的部分を走査し、複数の選択的部分の埋め込みデータを読み取るステップと、この時間のインターバルの間にシートに対する走査装置の１つまたは複数の相対的位置を示す電子データを生成し、その電子データをプリンタに送信して、シートに対する走査装置の相対的移動をプリンタが容易に決定できるようにするステップとを含む。
【００１４】
本発明のいくつかの実施形態において、走査装置およびプリンタを備えるシステムを含むシステムが提供される。これらの実施形態について、走査装置を、１つまたは複数の第１のピクチャを有するシートの１つまたは複数の選択的部分を走査するが、そのシートのその他の部分は走査しないようにして、シートの１つまたは複数の選択的部分の埋め込みデータを読み取り、かつ埋め込みデータに基づいて電子データを生成し送信するように構成することができ、１つまたは複数の第１のピクチャは１つまたは複数の対応するイメージと関連付けられることができる。プリンタを、電子データを受信して、その電子データに基づいてシートに対する走査装置の１つまたは複数の場所を追跡するように、かつ、走査装置の１つまたは複数の場所の追跡に少なくとも部分的に基づいて、１つまたは複数の対応するイメージの全部または選択されたサブセットに関する少なくとも１つのオペレーションを実行するように、走査装置と通信可能に結合することができる。
【００１５】
いくつかの実施形態において、プリンタは、走査装置から受信された電子データに少なくとも部分的に基づいて、１つまたは複数のシート上の１つまたは複数の第２のピクチャを印刷することによって、少なくとも１つのオペレーションを実行するように構成してもよい。いくつかの実施形態において、前記プリンタが、さらに、１つまたは複数の第１のピクチャを有するシートを印刷するように、かつそのシート上に埋め込みデータを印刷するように構成してもよい。いくつかの実施形態において、前記走査装置が、電子データをプリンタにワイヤレスに送信するためのインターフェースを含む。いくつかの実施形態において、前記プリンタが、走査装置から電子データをワイヤレスに受信するためのもう１つのインターフェースを含む。
【００１６】
本発明の様々な実施形態のこれらのおよびその他の態様を以下の説明においてより詳細に説明する。
【００１７】
以下に本発明を、添付の図面に示される例示的実施形態を用いて説明するが、これらの実施形態に限定されるものではなく、同様の参照番号は類似の要素を規定する。
【図面の簡単な説明】
【００１８】
【図１】本発明の様々な実施形態による、プリンタ、走査装置およびマークアップシートを示す図である。
【図１Ａ】本発明の様々な実施形態による、走査装置およびマークアップシートを示す図である。
【図２】本発明の様々な実施形態によるフロープロセスである。
【図３Ａ】本発明の様々な実施形態による、図１のプリンタの様々な構成要素を概略的に示すブロック図である。
【図３Ｂ】本発明の様々な実施形態による、図１の走査装置の様々な構成要素を概略的に示すブロック図である。
【図３Ｃ】本発明の様々な実施形態による、図１のインデックスシートをさらに詳細に示す図である。
【図４Ａ】本発明の様々な実施形態による、図１に示すようなフォトグラフに異なるマーキングを付けた図である。
【図４Ｂ】本発明の様々な実施形態による、図１に示すようなフォトグラフに異なるマーキングを付けた図である。
【図４Ｃ】本発明の様々な実施形態による、図１に示すようなフォトグラフに異なるマーキングを付けた図である。
【図４Ｄ】本発明の様々な実施形態による、図１に示すようなフォトグラフに異なるマーキングを付けた図である。
【図４Ｅ】本発明の様々な実施形態による、図１に示すようなフォトグラフに異なるマーキングを付けた図である。
【図４Ｆ】本発明の様々な実施形態による、図１に示すようなフォトグラフに異なるマーキングを付けた図である。
【図４Ｇ】本発明の様々な実施形態による、図１に示すようなフォトグラフに異なるマーキングを付けた図である。
【発明を実施するための形態】
【００１９】
以下の詳細な説明において、本明細書の一部を成す添付の図面を参照するが、図面中同様の番号は全体を通して同様の部品を示し、図面中、本発明を実施し得る諸実施形態が例示として示される。本発明の範囲から逸脱することなく、その他の実施形態を利用することができ、構造的または論理的に変更できることを理解されたい。したがって、以下の詳細な説明は、限定的な意味に解釈されるべきではなく、本発明による実施形態の範囲は、添付の特許請求の範囲およびそれらの均等物によって規定される。
【００２０】
様々なオペレーションを、本発明の実施形態を理解するのに役立ち得る方法で、複数の具体的なオペレーションとして順を追って説明することができる。しかしながら、説明の順序は、これらのオペレーションが順序に依存することを示唆すると解釈されるべきではない。
【００２１】
簡単に説明するために、語句「Ａ／Ｂ」は、ＡまたはＢを意味する。簡単に説明するために、語句「Ａおよび／またはＢ」は、「（Ａ）、（Ｂ）または（ＡおよびＢ）」を意味する。簡単に説明するために、語句「Ａ、ＢおよびＣのうち少なくとも１つ」は、「（Ａ）、（Ｂ）、（Ｃ）、（ＡおよびＢ）、（ＡおよびＣ）、（ＢおよびＣ）または（Ａ、ＢおよびＣ）」を意味する。簡単に説明するために、語句「（Ａ）Ｂ」は、「（Ｂ）または（ＡＢ）」を意味する。
【００２２】
本明細書中における「１つの実施形態」または「一実施形態」という参照は、その実施形態に関連して説明される具体的なフィーチャ、構造または特徴が、少なくとも１つの実施形態に含まれることを意味する。本明細書の様々な箇所で語句「１つの実施形態において」と示されるのは、同一の実施形態の全体に必ずしも言及するものではないが、全体に言及していてもよい。
【００２３】
本発明の様々な実施形態によると、プリンタ内の１つまたは複数のイメージに接続された選択的なオペレーションを実行するための低価格な解決法を提供する方法およびシステムが提供される。本発明の諸実施形態は、少なくとも、電子デジタルペン（または単に「電子ペン」）などの走査装置と、走査装置に通信可能に接続された写真プリンタなどのプリンタと、プリンタがマークアップシートに対する走査装置の場所を決定するために走査装置によって読み取ることができる埋め込みデータを有する１つまたは複数の「マークアップ」シートとを使用することができる。本明細書で使用される「マークアップ」シートは、イメージのピクチャが複数印刷されたインデックスシート、単一のピクチャが印刷されたフォトグラフ、１つまたは複数の印刷されたピクチャを有する任意のその他の媒体とすることができる。本明細書で使用される「シート」とは、紙などの任意のタイプの印刷可能な媒体を指すことができるが、それらに限定されるものではない。例示および説明を簡単にするために、本明細書では単語「イメージ」は、電子画像すなわちデジタル化された画像を指す際に用いており、単語「ピクチャ」は、そのイメージを印刷した物またはそのハードコピーを指すのに用いる。
【００２４】
走査装置は、マークアップシートにマークを付けてユーザがどのオペレーションを望んでいるかをプリンタに実行するように指示するために、ユーザによって使用される。ユーザがマークアップシートにマークを付けると、走査装置が、マークアップシートの１つまたは複数の選択的場所のみを走査し、走査装置の視野内にあるそれらの１つまたは複数の選択的場所に位置付けられた埋め込みデータのみを読み取ることができる。走査装置は、次いで、読み取られた埋め込みデータに基づいて、電子データをプリンタに提供する。この電子データをプリンタによって処理することで、どのアクションまたはオペレーションを実行すべきかを決定することができ、たとえばＳｃａｎｔｒｏｎ技法を使用した場合に求められるようにマークアップシート全体を走査する必要はない。このようにして、走査装置を使用して、１つまたは複数の印刷されたイメージを実質的に「マークアップ」することができる。
【００２５】
走査装置に通信可能に結合され得るプリンタは、走査装置によって提供された電子データに少なくとも部分的に基づいて、１つまたは複数のシート上の選択的イメージを編集および／または印刷するなどの様々なオペレーションを自動的に実行することができる。具体的には、プリンタは、実行すべき適当なオペレーションを決定するために、マークアップシートに対する走査装置の１つまたは複数の場所を追跡することができる。マークアップシートに対する、より具体的にはマークアップシート上の特定のポイントまたは場所に対する走査装置の１つまたは複数の場所をこのような決定に基づいて、プリンタは、実行される適当なオペレーションを決定して、それらのオペレーションが実行することができる。この１つまたは複数のオペレーションは、プリンタ上に予めロードされ得た複数のイメージの全部またはサブセットに関連することができる。本明細書で使用される場合、単語「サブセット」は、１つまたはいくつかのもの示すことができる。用語「オペレーション」および「アクション」は、以下の説明を通じて互換的に使用され、したがって、特に指示がない限り同義であることに留意されたい。様々な実施形態のこれらのおよびその他の態様が、本明細書でさらに詳しく説明される。
【００２６】
図１は、本発明の様々な実施形態による、プリンタ１０と、プリンタ１０に通信可能に結合される走査装置１２と、この場合インデックスシート１４およびフォトグラフ１８を含む複数枚のマークアップシート２０とを示す。インデックスシート１４は、プリンタ１０内にロードおよび／または保存しておくことのできるイメージの最小化されたピクチャである複数の「サムネイル」ピクチャ１６を含む。これと対称的に、フォトグラフ１８のそれぞれは、プリンタ１０内にダウンロードおよび／または保存されたイメージのうち１つのイメージの個別のピクチャである。図１Ａはさらに、インデックスシート１４およびフォトグラフ１８を示す。図１Ａにおいて、フォトグラフ１８は、アクションメニュー２２を含み、そのアクションメニュー２２は、ユーザがフォトグラフ１８上で実行される様々なアクションを選択するために走査装置１２を用いて選択できるアクション選択部２４を含む。したがって、走査装置１２は、メニューアクションおよびフォトグラフ１８の対象となる領域を両方選択するためのポインタとして使用することができる。
【００２７】
様々な実施形態において、プリンタ１０は、たとえば、デジタルカメラ、ＳＤまたはＣＦフォトカードなどのメモリカード、ＣＤ−ＲＯＭまたはその他の保存媒体、ラップトップまたはデスクトップなどのコンピューティングデバイスのような様々なソースから、あるいはインターネットを介して、デジタル化されたイメージのコレクションのためのイメージファイルをロードすることができる。次いで、デジタル化されたイメージ（または単に「イメージ」）のコレクションを、たとえば、動的ランダムアクセスメモリ（ＤＲＡＭ）または静的ランダムアクセスメモリ（ＳＲＡＭ）などの揮発性メモリに保存することができる。いくつかの実施形態において、プリンタ１０は、マークアップシート２０（たとえば、インデックスシート１４および／またはフォトグラフ１８）を印刷するように、かつマークアップシート２０上に埋め込みデータを印刷することで、ユーザが走査装置１２を使用してマークアップシート２０にマークを付けているときに、マークアップシート２０に対する走査装置１２の１つまたは複数の場所を容易に追跡できるように構成することができる。しかしながら、いくつかの代替実施形態において、プリンタ１０に、予め埋め込みデータが印刷された印刷可能なブランクシートを供給してもよい。プリンタ１０が埋め込みデータをマークアップシート２０上に印刷する諸実施形態において、埋め込まれるデータは、可視インク層の下に印刷された特殊インク層に埋め込むことができるデータを含むことができる。したがって、いくつかの実施形態において、そのようなデータは、裸眼では見えないことがある。
【００２８】
いくつかの実施形態において、マークアップシート２０上に印刷された埋め込みデータを符号化して、マークアップシート２０（すなわち、インデックスシート１４またはフォトグラフ１８）上に印刷されるドットパターンにすることができる。これらのドットは、インデックスシート２０の表面の規則的な間隔でマークアップシート２０上に印刷することができる黄色またはＩＲグリッドドットとすることができる。また埋め込みデータは、グリッドドットのそれぞれの場所を示すデータを含むことができる。そのようなデータは、グリッドドットよりも小さなマイクロドットの形態とすることができる。いくつかの代替実施形態において、または同一の実施形態において、埋め込みデータはまた、サムネイルピクチャ１６と関連付けられた対応するイメージのそれぞれと関連付けられる識別子またはアイデンティティを含むこともできる。アイデンティティは、ファイル名、ファイル番号またはその他のメタデータの形態とすることができる。印刷可能な媒体にデータを埋め込むという一般的な概念は、当技術分野で知られており、したがってさらには説明しない。
【００２９】
本質的に、プリンタ１０にロードされたどのイメージ（１つまたは複数）について、どのアクション（１つまたは複数）が実行されるべきかをプリンタ１０に指示するために、走査装置１２をユーザが使用することができる。具体的には、プリンタ１０にロードされた１つまたは複数のイメージを編集または修正するために、および／あるいは１つまたは複数のイメージの全部または選択されたサブセットに関するアクション（すなわち、印刷、電子メール送信など）を実行するために、ユーザは、走査装置１２を使用して、マークアップシート２０上にマークを書くことができる。様々な実施形態において、走査装置１２は、プリンタ１０からの任意の入力なしに動作することができ、つまり、プリンタ１０から独立して動作することができる。走査装置１２を、ユーザが使用して、マークアップシート２０にマークを付けて、プリンタ１０にロードされた１つまたは複数の選択的イメージに関して実行される１つまたは複数の選択的アクションを指定することができる。
【００３０】
走査装置１２は、マークアップシート２０にマークを付けるためにユーザが使用するスタイラスペンまたはインクカートリッジ、ならびにユーザがマークアップシート２０にマークを付けているときにマークアップシート２０に対する走査装置１２の１つまたは複数の場所をプリンタ１０が追跡するのを補助するための走査ヘッドを含むことができる。以下にさらに説明するように、走査装置１２は、マークアップシート２０（すなわち、インデックスシート１４またはフォトグラフ１８）の１つまたは複数の選択的部分を走査するための、たとえばカメラを含む走査ヘッドを含むことができる。様々な実施形態において、走査装置１２は、有線リンク（たとえば、ＵＳＢ）を介して、または米国電気電子学会（ＩＥＥＥ）  １８２．１１規格（すなわちＷｉＦｉ）、ＩＥＥＥ  １８２．１５規格（すなわちＢｌｕｅｔｏｏｔｈ（登録商標））、またはその他の規格など様々なインターフェース規格のうち１つを使用する無線リンクを介して、プリンタ１０と通信することができる。
【００３１】
本発明の様々な実施形態にしたがって、どのようにプリンタ１０、走査装置１２およびマークアップシート２０を一緒に使用するかを示す実施例を以下に示す。走査装置１２を使用してユーザがマークアップシート２０にマークを付けているとき、走査装置１２は、ユーザがマークアップシート２０にマークを付けているときに走査装置１２の視野内に現れる、マークアップシート２０の表面のセクションに含まれる埋め込みデータを読み取ることができる。走査装置１２をマークアップシート２０にマークを付けるために使用しながら、走査装置１２は、埋め込みデータの読み取りの結果として生成され得る電子データをプリンタ１０に送信することができる。代替的には、電子データを走査装置１２によって保存し、その後のある時点でプリンタ１０に送信することができる。プリンタ１０によって受信された電子データを、プリンタ１０によって処理することができ、そのデータが処理されると、プリンタ１０は、ユーザが走査装置１２を使用してマークアップシート２０にマークを付けているときの、マークアップシート２０に対する（より具体的には、マークアップシート２０上の特定のポイントまたは場所に対する）走査装置１２の１つまたは複数の場所ならびに相対的移動を決定することができる。この決定に基づいて、プリンタ１０は、適当な１つまたは複数のイメージに関する適当な１つまたは複数のアクションを実行することができる。
【００３２】
図２は、本発明の様々な実施形態による、プリンタ内の１つまたは複数のイメージに対して１つまたは複数のアクションを実行するためのフロープロセスである。プロセス１００は、ブロック１０２において、プリンタ１０に１つまたは複数のイメージがロードされるときに開始できる。１つまたは複数のイメージがロードされた後に、ブロック１０４において、プリンタ１０は、マークアップシート２０を印刷することができ、このマークアップシート２０は、１つまたは複数の対応するイメージと関連付けられた１つまたは複数のピクチャを含むインデックスシート１４および／またはフォトグラフ１８とすることができる。いくつかの実施形態において、１つまたは複数の対応するイメージは、プリンタ１０にロードしておくことができる。マークアップシート２０には、データを埋め込むことができ、このデータは、プリンタ１０によってマークアップシート２０上に印刷することができる。代替的には、埋め込みデータを、マークアップシート２０上に予め印刷しておくこともできる。埋め込みデータは、マークアップシート２０上の特定の場所に関する場所情報、対応する１つまたは複数のイメージと関連付けられた識別子、マークアップシート２０のページ番号および／またはその他の情報を提供するデータを含むことができる。
【００３３】
次いで、ユーザが、走査装置１２を使用してマークアップシート２０にマークを付けるときに、マークアップシート２０の１つまたは複数の選択的部分を、走査装置１２で走査することができる。ブロック１０６において、走査装置１２は、１つまたは複数の選択的部分を走査しながら、マークアップシート２０の１つまたは複数の選択的部分の埋め込みデータを読み取ることができる。１つまたは複数の選択的部分の埋め込みデータは、マークアップシート２０に対する走査装置１２の１つまたは複数の場所を示すことができる。具体的には、走査装置１２によって読み取られた埋め込みデータは、マークアップシート２０上の特定の場所またはポイントに対する走査装置１２の１つまたは複数の場所を示すことができる。次いで、ブロック１０８において、走査装置１２は、マークアップシート２０の１つまたは複数の選択的部分の走査の結果として生成された電子データをプリンタ１０に送信することができる。次いでプリンタ１０は、受信した電子データを処理して、マークアップシート２０に対する走査装置１２の１つまたは複数の場所を決定することができる。ブロック１１０において、このような決定により、プリンタ１０に、プリンタ１０にロードされたどのイメージ（１つまたは複数）についてどのアクション（１つまたは複数）が実行されるべきか指示することができる。さらに説明するように、実行されるべき１つまたは複数のアクションは、たとえば、選択的イメージを編集または修正すること、試し刷り用および最終印刷用のイメージをサイズ設定すること、１つまたは複数のシート上の修正済みまたは未修正の選択的イメージを印刷すること、修正済みまたは未修正の選択的イメージを電子メールで送信することなどを含むことができる。
【００３４】
図３Ａは、本発明の様々な実施形態による、図１のプリンタ１０の様々な構成要素を概略的に示すブロック図である。プリンタ１０は、プリントヘッド３２および印刷媒体にピクチャを印刷するためのその他の機械を含むことができる印刷ブロック３０と、１つまたは複数のプロセッサ３４と、揮発性メモリ３６と、永続性メモリ３８と、走査装置１２と通信するための通信インターフェース４０とを含むことができる。いくつかの実施形態において、インターフェース４０は、走査装置１２から電子データを受信するための無線受信器４２を含んでも含まなくてもよい。代替的には、その他の代替実施形態において、受信器４２は、送受信機に置き換えることができる。さらに、プリンタ１０と走査装置１２との間の通信リンクが有線リンクであるとき、インターフェースは、走査装置１２から電子データを受信するためのユニバーサルシリアルバス（ＵＳＢ）ポートを含むことができる。示されてはいないが、プリンタ１０は、先に述べたような様々なソースからイメージファイルを容易にダウンロードできるようにするためのその他のインターフェースを含むことができる。
【００３５】
永続性メモリ３８は、本明細書に記載される様々なオペレーションを実行するためのコンピュータ可読命令を含むことができる。このような命令を、１つまたは複数のプロセッサ３４によって実行することができる。揮発性メモリ３６を使用して、プリンタ１０にロードされたイメージまたはイメージファイルを保存することができる。揮発性メモリ３６は、ＳＲＡＭ、ＤＲＡＭまたはその他のタイプの揮発性メモリなど、任意のタイプの揮発性メモリとすることができる。
【００３６】
次に、本発明の様々な実施形態による、図１の走査装置１２の様々な構成要素を概略的に示すブロック図である図３Ｂを参照する。走査装置１２は、カメラを含むことができるデジタル走査ヘッド（「走査ヘッド」）５０を含むことができる。様々な実施形態において、走査ヘッド５０を、マークアップシート２０に含まれ得る埋め込みデータを読み取るように設計することができる。走査装置１２はさらに、プロセッサまたはマイクロコントローラなどのコントローラ５２と、いくつかの例においては送受信機であり得る無線送信器５４と、ニブ５６とを含むことができる。走査装置１２が有線リンクを介してプリンタ１０と通信する実施形態では、無線送信器５４は設けなくてもよい。ニブ５６は、インデックスシート１４またはフォトグラフ１８にマークを付けるために走査装置１２に備え付けることができるスタイラスペンまたはインクカートリッジのニブとすることができる。マークアップシート２０（すなわち、インデックスシート１４またはフォトグラフ１８）にマークを付けるための走査装置１２を使用することによって、プリンタ１０にロードされた選択的イメージに対して様々な選択的アクションを実行することができる。先に述べたように、いくつかの実施形態において、走査装置１２は、デジタル電子ペンとすることができる。
【００３７】
様々な実施形態において、走査装置１２を、インデックスシート１４にマークを付けるために使用するとき、インデックスシート１４の選択的ピクチャ１６（およびタグが付けられたピクチャ１６と関連付けられた対応するイメージ）にマークまたはタグを付けるために使用でき、また、タグが付けられたピクチャ１６と関連付けられた対応するイメージに関してプリンタ１０によって実行されるアクションのタイプを選択することができる。いくつかの実施形態において、走査装置１２を使用して、インデックスシート１４またはフォトグラフ１８に、特定の図形、たとえば矢印、円、線、文字、およびそれらの組合せなどで、インデックスシート１４またはフォトグラフ１８上の特定の場所で単にマークを付けることによって、インデックスシート１４のピクチャ１６のうち１つと関連付けられたイメージ、またはフォトグラフ１８と関連付けられたイメージを修正することができる。これらの機能を達成するために、走査ヘッド５０を、インデックスシート１４またはフォトグラフ１８に対する走査装置１２のニブ５６の場所を追跡するように構成することができる。いくつかの実施形態において、走査ヘッド５０の視野は、とても限定されることがあり、その視野に、走査装置５６のニブ５６が入らないこともある。しかしながら、これは、走査ヘッド５０の視野とニブ５６との間の距離がわかっている限り、インデックスシート１４またはフォトグラフ１８に対するニブ５６の場所を決定する際に問題とはならない。
【００３８】
インデックスシート１４またはフォトグラフ１８の選択的場所にマークを付けるために走査装置１２を使用しながら、走査ヘッド５０によって、走査ヘッドの視野内にあるインデックスシート１４またはフォトグラフ１８の１つまたは複数の部分に配置された埋め込みデータを読み込むことができる。次いで、コントローラ５２は、走査ヘッド５０によって走査されているインデックスシート１４またはフォトグラフ１８の１つまたは複数の部分から読み取られた埋め込みデータに基づいて、電子データを生成する。次いで、生成された電子データをプリンタ１０に供給することができる。
【００３９】
図３Ｃは、本発明の様々な実施形態による、図１のインデックスシート１４をさらに詳細に示す。図示のように、インデックスシート１４は、複数のサムネイルピクチャまたは単に「ピクチャ」（それらのピクチャうち３つが参照番号１６Ａ、１６Ｂおよび１６Ｃで示される）と、アクションボタン７０Ａ、７０Ｂおよび７０Ｃと、対応するピクチャまたは対応するアクションボタンにそれぞれが隣接するチェックボックス（それらのチェックボックスのうち４つが７２Ａ、７２Ｂ、７２Ｃおよび７２Ｄで示される）とを含む。ピクチャ（たとえば、１６Ａ、１６Ｂおよび１６Ｃ）のそれぞれは、プリンタ１０にロードしておくことのできる対応するイメージを表すことができる。選択的ピクチャにタグを付けるために、ならびにタグが付けられたピクチャと関連付けられた対応するイメージにタグを付けるために、チェックボックスを使用することができる。示されてはいないが、インデックスシート１４に、走査装置１２によって読み取ることができるデータを埋め込んで、ユーザがインデックスシート１４にマークを付けながら走査装置１２の１つまたは複数の場所を、プリンタ１０が容易に追跡できるようにすることができる。
【００４０】
アクションボタン７０Ａ、７０Ｂおよび７０Ｃは、プリンタ１０によって実行され得るアクションまたはオペレーションを表す。図示のように、アクションボタン７０Ａは、選択されたイメージを表示するため、たとえばプリンタ１０に設けることができる液晶ディスプレイ（ＬＣＤ）スクリーン上に表示するための「ｓｈｏｗ」ボタンであり、アクションボタン７０Ｂは、選択された（すなわちタグが付けられた）イメージを、電子メールを介して送信するための「Ｅｍａｉｌ」ボタンであり、アクションボタン７０Ｃは、選択されたイメージを印刷するためのものである。チェックボックス７２Ａ、７２Ｂおよび７２Ｃは、インデックスシート１４上の特定の場所にそれぞれ配置される。
【００４１】
様々な実施形態にしたがって、どのようにプリンタ１０を走査装置１２およびインデックスシート１４とともに使用するかを示すために、以下の実施例が提供される。ユーザは、ピクチャ１６Ｂと関連付けられるイメージの印刷を望むものとする。そのようにするためには、ユーザは先ず、走査装置１２のニブ５６を、インデックスシート１４の表面のチェックボックス７２Ｂに置くことができる。チェックボックス７２Ｂにニブ５６を置くことにより、走査装置１２に、チェックボックス７２Ｂの近傍またはその場所にある、ならびに走査装置１２の視野のビューにあるインデックスシート１４の表面の少なくとも一部分の走査を開始させて、その場所にある埋め込みデータを読み取ることができる。次いで、走査装置１２は、埋め込みデータの読み取りに応答して、電子データをプリンタ１０に送信することができる。いくつかの実施形態において、プリンタ１０に誤ったまたは未熟なデータを提供しないようにするために、走査装置１２は、ある特定のフィーチャに寄与することができる。この特定のフィーチャは、ニブ５６が、たとえば、インデックスシート１４の表面上にあるとき、インデックスシート１４の表面の近傍にあるとき、および／またはユーザがプロンプトとしているときのみ、走査装置１２を単に電子データを走査しおよび／または電子データをプリンタ１２に送信するようにプロンプトすることができる。たとえばコンタクトスイッチなどのセンサを、ニブ５６に結合させて、ニブ５６がインデックスシート１４と接触する時点を検出することができる。その他のメカニズムもまた、同様のこのような目的のために使用することができる。
【００４２】
いくつかの実施形態においては、走査ヘッド５０の視野は、非常に限定されていることがあり、ニブ５６またはニブ５６の直ぐ下の領域を含まないことがある。走査ヘッド５０は、たとえばニブ５６と視野との間の距離がわかっている限り、その視野にニブ５６が含まれていなくてもよい。ユーザがチェックボックス７２Ｂにマークを付けて、ピクチャ１６Ｂと関連付けられたイメージにタグを付ける際に（ユーザによってチェックマークが付けられた状態のチェックボックス７２Ｂを図示する）、走査装置１２は、視野内にあるインデックスシート１４の１つまたは複数の部分を走査し、それらの場所に配設された埋め込みデータを読み取ることができる。
【００４３】
埋め込みデータの読み取りに応答して、走査装置１２は、電子データを生成することができ、その電子データをその後、有線または無線接続を介してプリンタ１０に送信することができる。次いで、プリンタ１０は、受信された電子データを処理して、インデックスシート１４に対する走査装置１２の１つまたは複数の場所を決定することができる。より具体的には、プリンタ１０は、インデックスシート１４上の特定のポイントに対するニブ５６の１つまたは複数の場所またはニブ５６の近傍の場所を決定することができる。そのようにする際に、プリンタ１０は、ピクチャ１６Ａ、１６Ｂおよび１６Ｃ（ならびにそれらに対応するイメージ）のうち、どれにタグが付けられているかを決定することができる。なお、走査装置１２は、時間インターバルまたはセグメントにわたって移動することができるので、プリンタ１０によって受信された電子データは、ニブ５６に関する複数の場所を示すことができることに留意されたい。インデックスシート１４に対するまたはインデックスシート１４上の選択的ポイントに対する走査装置１２の１つまたは複数の場所を決定することによって、プリンタ１０は、ピクチャ（たとえば、１６Ａ、１６Ｂおよび／または１６Ｃ）と関連付けられたイメージのうちどのイメージ（１つまたは複数）にタグを付けられたかを決定することができる。
【００４４】
また、ユーザは、アクションボタン７０Ａ、７０Ｂおよび７０Ｃのチェックボックスのうち１つまたは複数にマークを付けることによって、選択されたイメージ（この場合、ピクチャ１６Ｂと関連付けられたイメージが選択されている）に対して実行されるべき１つまたは複数のアクションを選択することができる。このことは、ピクチャおよびそれらに対応するイメージにタグを付けるための上述された同じ手順を使用して達成することができる。この実施例において、ユーザはピクチャ１６Ｂと関連付けられたイメージを印刷しようとしているので、ユーザは、走査装置１２を使用してチェックボックス７０Ｃにマークを付けることになる。チェックボックス７０Ｄにマークを付けると、プリンタ１０は、先に述べたように、インデックスシート１４に対する走査装置１２の１つまたは複数の場所を追跡することができる。この決定に基づいて、プリンタ１０は、タグが付けられたイメージに対するアクションの適当な過程を決定し、それによって適当なオペレーションを実行することができる。この場合、選択されたイメージをシート上に印刷することになる。なお、このとき、いくつかの代替実施形態において、チェックボックスをインデックスシート１４に設けなくてもよく、その場合、ユーザは単に、たとえば、ピクチャ１６またはアクションボタン７０Ａ、７０Ｂおよび７０Ｃに「Ｘ」などのマークを付けることができる。
【００４５】
また、本発明の様々な実施形態は、上述の手順と類似する手順を使用して、プリンタ１０にロードされるイメージの編集または修正を提供することができる。具体的には、走査装置１２をマークアップシート２０（すなわち、インデックスシート１４またはフォトグラフ１８）と併せて使用して、１つまたは複数のイメージを編集することができる。イメージの編集は、たとえば、イメージからの赤目の除去、イメージを削除すること、イメージを回転させること、イメージの少なくとも一部分について「ズームすること」（すなわち、イメージの少なくとも一部分を拡大すること）、イメージの１つまたは複数の部分をクロッピングすること、イメージまたはその一部分のコントラストまたは強調度を調整することなどを含むことができる。いくつかの例において、イメージの編集または修正のうちいくつかを、イメージが実際に印刷可能な媒体上に印刷されるときにのみ実現することができる。したがって、１つまたは複数のイメージを編集した後に、１つまたは複数のシートにそのイメージを印刷するようにすることができる。以下に、フォトグラフを使用してイメージを編集または修正する方法ついてのいくつかの実施例を記載するが、いくつかの代替実施形態または同一の実施形態においては、インデックスシート１４のピクチャ１６を使用してイメージを修正することもできる。
【００４６】
図４Ａは、本発明の様々な実施形態による図１のフォトグラフ１８の１つを示す。フォトグラフ１８も、先に記載したインデックスシート１４と同様に埋め込みデータを含むことができる。フォトグラフ１８は、４×６サイズのプリント写真などのフルサイズの写真または寸法設定されたプリント写真とすることができる。
【００４７】
フォトグラフに一般的な、望ましくない欠点である、フォトグラフ内の目のいくつかまたは全部が赤くなる「赤目」をイメージから除去するためには、ユーザは、図４Ｂに示すように、走査センサ１２を使用して、赤目の周囲に円８２を描くことでフォトグラフにマークを付けることができる。いくつかの代替実施形態においては、代わりにドットを赤目領域に置くことができる。プリンタ１０は、先に述べた技法を用いて、円８２を描くために走査装置１２を使用しながら、走査装置１２の移動または動きを追跡することができる。具体的には、時間のインターバルの間のフォトグラフ１８に対する走査装置１２の決定された場所に基づいて、走査装置１２の移動を決定することができる。走査装置１２の追跡に基づいて、プリンタ１０が容易に赤目を除去できるようにすることができる。
【００４８】
具体的には、赤目領域の周りに円を描くことを赤目除去アルゴリズムの補助として使用することができる。赤目除去は、典型的には、非常に難しい問題である。完全に自動的に赤目除去を実行することができる既存の製品は、フォトグラフ内の赤目を全て除去するのは難しく、黒くなるなど、ある特定の望ましくない結果を生じさせる場合もある。赤目の除去を補助するためには、これらの製品の多くが典型的には、修正を必要とする赤目をユーザが「指し示す」ユーザアシストの赤目除去アルゴリズムを必要とする。しかしながら、これには、パーソナルコンピュータに見られるような、典型的にはプリンタでは見られないような大きなディスプレイを使用する必要がある。先に述べた技法を使用することによって、赤目の除去を簡単にすることができる。
【００４９】
いくつかの実施形態において、走査装置１２を使用し、対応するフォトグラフ１８上に、図４Ｃに示すようにたとえば「Ｘ」を単に描くことによって、プリンタ１０から、および／またはイメージを生じさせるカメラなどのデバイスから、イメージを削除することができる。いくつかの実施形態において、走査装置１０を使用し、対応するフォトグラフ１８上に、図４Ｄに示すように矢印を描くことによって、イメージを回転させることができる。たとえば、イメージを回転させ、それによって景色のビューから人物のビューにシフトさせることができるか。
【００５０】
いくつかの実施形態において、ユーザが走査装置２０を使用して、イメージと関連付けられたフォトグラフ１８上に、特定の種類の矢印を描くおよび／または図４Ｅに示すように電子メールの宛先の名前または電子メールアドレスを書くなど、特定のシンボルを描くことによって、アーカイブに保存するための、または電子メールに添付して送信するためのマークをイメージに付けることができる。イメージの印刷などのその他のアクションのために、対応するフォトグラフ１８に「Ｐ」などの別のシンボルを描くことによってイメージにマークを付けることもできる。いくつかの実施形態において、イメージの一部分は、走査装置１２を使用して、たとえば図４Ｆに示されるように、対応するフォトグラフ１８上のクロッピングされるべき一部分の周りにボックスを描くことによって、クロッピングすることができる。いくつかの実施形態において、対象領域を選択または強調表示するために、走査装置１２を使用して、たとえば図４Ｇに示されるように、対応するフォトグラフ１８上の対象領域の周りに円を描くことによって、イメージのある特定の一部分をコントラスト調整またはエンハンスメントすることができる。
【００５１】
走査装置１２を使用することによって、走査装置１２がフォトグラフ１８上（ならびにインデックスシート１４のピクチャ１６上）に様々なシンボルまたは図を描くのに使用されているときに、プリンタ１０は、走査装置１２の場所、ならびに時間のインターバルの間の相対的動きまたは移動を追跡することができる。これらの移動または動きを、プリンタ１０によって解釈して、どのアクションまたはオペレーションが実行されるべきかを決定することができる。また、上記において、マーキングは、対象とされるイメージと関連付けられるフォトグラフ１８上で行われるが、代替的には、マークをインデックスシート１４の対応するピクチャ１６上に作成することもできる。
【００５２】
具体的な諸実施形態について図示し説明してきたが、広範な様々な代替のおよび／または均等な実装形態を、本発明の範囲から逸脱することなく、図示し説明された具体的な諸実施形態の代わりに実施できることは、当業者等には理解できよう。本出願は、本明細書で論じられた諸実施形態の任意の適応形態またはバリエーションを包含することが意図される。したがって、本発明の様々な実施形態を特許請求の範囲およびその均等物によってのみ限定することが明示され、意図される。
【図１】
2010529916.tif 000003
【図１Ａ】
2010529916.tif 000004
【図２】
2010529916.tif 000005
【図３Ａ】
2010529916.tif 000006
【図３Ｂ】
2010529916.tif 000007
【図３Ｃ】
2010529916.tif 000008
【図４Ａ】
2010529916.tif 000009
【図４Ｂ】
2010529916.tif 000010
【図４Ｃ】
2010529916.tif 000011
【図４Ｄ】
2010529916.tif 000012
【図４Ｅ】
2010529916.tif 000013
【図４Ｆ】
2010529916.tif 000014
【図４Ｇ】
2010529916.tif 000015
【国際調査報告】
2010529916.tif 000016
2010529916.tif 000017